(57)【要約】【課題】本発明は、誤操作の少ないタッチセンサ式の表示入力装置及びそれを備えた撮像装置を提供することを目的とする。【解決手段】本発明の表示入力装置は、表示部（１３Ａ）と、前記表示部（１３Ａ）の表示領域に対応して配設されるタッチセンサ（１３Ｂ）と、タッチ操作に応じて前記タッチセンサ（１３Ｂ）が感知した領域を検出する検出部（１３Ｂ’）と、前記タッチ操作に応じて前記検出部（１３Ｂ’）が検出した前記領域に基づいて、前記領域内の所定の位置又は前記領域外の所定の位置にある前記表示部（１３Ａ）の表示を、指定又は実行する制御部（１８）とを有することを特徴とする。【選択図】      図２
2007264808.tif 000002
【特許請求の範囲】
【請求項１】
表示部と、
前記表示部の表示領域に対応して配設されるタッチセンサと、
タッチ操作に応じて前記タッチセンサが感知した領域を検出する検出部と、
前記タッチ操作に応じて前記検出部が検出した前記領域に基づいて、前記領域内の所定の位置又は前記領域外の所定の位置にある前記表示部の表示を、指定又は実行する制御部と、
を有することを特徴とする表示入力装置。
【請求項２】
前記領域内の所定の位置又は前記領域外の所定の位置を設定する設定部を有する
ことを特徴とする請求項１に記載の表示入力装置。
【請求項３】
前記設定部は、前記領域内の所定の位置又は前記領域外の所定の位置を前記領域内の基準点からの相対位置として設定すること
を特徴とする請求項２に記載の表示入力装置。
【請求項４】
前記設定部は、前記タッチセンサを介して前記所定の位置を設定すること
を特徴とする請求項２又は請求項３に記載の表示入力装置。
【請求項５】
前記表示部は、予め設定した複数の相対位置を表示し、
前記設定部は、前記複数の相対位置から少なくとも１つの位置を選ぶことにより指定する
ことを特徴とする請求項３に記載の表示入力装置。
【請求項６】
前記制御部は、前記タッチセンサが前記領域を検出すると前記所定の位置の前記表示部に確認マークを表示すること
を特徴とする請求項１〜請求項５の何れか一項に記載の表示入力装置。
【請求項７】
前記制御部は、前記タッチセンサが検出した前記領域の大きさに応じて前記所定の位置を変更すること
を特徴とする請求項１〜請求項６の何れか一項に記載の表示入力装置。
【請求項８】
前記タッチセンサは、前記領域の圧力分布を検出し、
前記設定部は、前記領域の圧力中心を前記所定の位置として設定すること
を特徴とする請求項２に記載の表示入力装置。
【請求項９】
表示部と、
前記表示部の表示領域に対応して配設されるタッチセンサと、
タッチ操作に応じて前記タッチセンサが感知した位置を検出する検出部と、
前記タッチ操作に応じて前記検出部が検出した前記位置に基づいて、前記位置から所定の位置にある前記表示部の表示を、指定又は実行する制御部と、
を有することを特徴とする表示入力装置。
【請求項１０】
前記所定の位置を設定する設定部を有すること
を特徴とする請求項９に記載の表示入力装置。
【請求項１１】
前記所定の位置を記憶する記憶部を有すること
を特徴とする請求項１〜請求項１０の何れか一項に記載の表示入力装置。
【請求項１２】
被写体を撮像する撮像部と、
請求項１〜請求項１１の何れか一項に記載の表示入力装置と
を有することを特徴とする撮像装置。                                                                                
【発明の詳細な説明】
【技術分野】
【０００１】
本発明は、表示入力装置、それを備えた撮像装置に関する。
【背景技術】
【０００２】
昨今のディジタルカメラは、筐体の小型化が求められる一方で、モニタ画面の大型化も求められている。このため、カメラにおいてモニタ画面の占める割合が増え、他の部品の配置スペースが圧縮される傾向にある。
この問題を解決するため、タッチセンサ式ＬＣＤ（Liquid Crystal Display）を搭載したカメラが提案された（特許文献１など参照）。例えば、このＬＣＤ上に各種のスイッチイメージを表示させれば、実際の操作部材が設けられていなくとも、各種のカメラ操作をＬＣＤ上で行うことができる。このカメラによれば、操作部材の多くを廃止することも可能である。
【特許文献１】特開平１１−３５５６１７号公報
【発明の開示】
【発明が解決しようとする課題】
【０００３】
しかしながら、ユーザがＬＣＤ上のスイッチイメージをタッチ操作するときには、操作部材を操作するときのように指先の触覚を頼りにすることができないため、例えば、複数のスイッチイメージが密に配置されていた場合、ユーザの指先がそれらを押し分けることは難しく、誤操作する可能性が高い。
そこで本発明は、誤操作の少ないタッチセンサ式の表示入力装置及びそれを備えた撮像装置を提供することを目的とする。
【課題を解決するための手段】
【０００４】
本発明の表示入力装置は、表示部と、前記表示部の表示領域に対応して配設されるタッチセンサと、タッチ操作に応じて前記タッチセンサが感知した領域を検出する検出部と、前記タッチ操作に応じて前記検出部が検出した前記領域に基づいて、前記領域内の所定の位置又は前記領域外の所定の位置にある前記表示部の表示を、指定又は実行する制御部と、を有することを特徴とする。
【０００５】
なお、前記表示入力装置は、前記領域内の所定の位置又は前記領域外の所定の位置を設定する設定部を有してもよい。
また、前記設定部は、前記領域内の所定の位置又は前記領域外の所定の位置を前記領域内の基準点からの相対位置として設定してもよい。
また、前記設定部は、前記タッチセンサを介して前記所定の位置を設定してもよい。
【０００６】
また、前記表示部は、予め設定した複数の相対位置を表示し、前記設定部は、前記複数の相対位置から少なくとも１つの位置を選ぶことにより指定してもよい。
また、前記制御部は、前記タッチセンサが前記領域を検出すると前記所定の位置の前記表示部に確認マークを表示してもよい。
また、前記制御部は、前記タッチセンサが検出した前記領域の大きさに応じて前記所定の位置を変更してもよい。
【０００７】
また、前記タッチセンサは、前記領域の圧力分布を検出し、前記設定部は、前記領域の圧力中心を前記所定の位置として設定してもよい。
また、本発明の別の表示入力装置は、表示部と、前記表示部の表示領域に対応して配設されるタッチセンサと、タッチ操作に応じて前記タッチセンサが感知した位置を検出する検出部と、前記タッチ操作に応じて前記検出部が検出した前記位置に基づいて、前記位置から所定の位置にある前記表示部の表示を、指定又は実行する制御部と、を有することを特徴とする。
【０００８】
なお、前記表示入力装置は、前記所定の位置を設定する設定部を有してもよい。
また、本発明の何れかの表示入力装置は、前記所定の位置を記憶する記憶部を有してもよい。
また、本発明の撮像装置は、被写体を撮像する撮像部と、本発明の何れかの表示入力装置とを有することを特徴とする。
【発明の効果】
【０００９】
本発明によれば、誤操作の少ないタッチセンサ式の表示入力装置及びそれを備えた撮像装置が実現する。
【発明を実施するための最良の形態】
【００１０】
［第１実施形態］
第１実施形態を説明する。本実施形態は、ディジタルカメラの実施形態である。
先ず、ディジタルカメラの構成を説明する。
図１は、本ディジタルカメラを背面側（反被写体側）から見た図である。図１に示すとおり、ディジタルカメラ１０の背面の略全域には、タッチセンサ式ディスプレイ１３が設けられ、ディジタルカメラ１０の上面には、電源釦１１Ａ、レリーズ釦１１Ｂなどの操作部材１１が設けられる。タッチセンサ式ディスプレイ１３のサイズは、例えば、３インチ程度である。
【００１１】
このディジタルカメラ１０では、電源釦１１Ａの操作に応じて電源が投入されると、タッチセンサ式ディスプレイ１３に各種のスイッチイメージを配置した通常画面が表示される（詳細は後述）。ユーザは、通常画面上でスイッチイメージをタッチ操作することにより、初期設定画面、モード設定画面、撮影条件設定画面などを呼び出すことができる。ユーザは、このような表示画面を利用してディジタルカメラ１０を撮影モードに設定し、さらにレリーズ釦１１Ｂを操作することで、撮影を行うことができる。
【００１２】
図２は、ディジタルカメラ１０の構成図である。図２に示すとおり、ディジタルカメラ１０には、ＬＣＤなどのディスプレイ１３Ａと、そのディスプレイ１３Ａの表面に配設されたタッチセンサ１３Ｂとが備えられる。これらのディスプレイ１３Ａ及びタッチセンサ１３Ｂが、タッチセンサ式ディスプレイ１３を構成している。また、ディジタルカメラ１０には、撮影レンズ１２、撮像素子（ＣＣＤやＣＭＯＳなど）１４、Ａ／Ｄ変換回路１５、信号処理回路１６、フレームメモリ１７、ＣＰＵ１８、不揮発性メモリ１９、ディスプレイ１３Ａを制御するための表示制御部１３Ａ’、タッチセンサ１３Ｂを制御するためのセンサ制御部１３Ｂ’、記録・読み取り部２０が配置される。この記録・読み取り部１０は、ディジタルカメラ１０に挿入された可搬の記憶媒体（カードメモリ等）２０Ａにアクセスし、画像データの読み書きを行うものである。フレームメモリ１７、不揮発性メモリ１９、表示制御部１３Ａ’、センサ制御部１３Ｂ’、記録・読み取り部２０などは、バスを介してＣＰＵ１８に接続されており、それぞれＣＰＵ１８からの指示に従って動作する。
【００１３】
センサ制御部１３Ｂ’は、タッチセンサ１３Ｂが生成する信号を、ＣＰＵ１８が認識可能な信号へと変換する。これによって、ユーザによるタッチ操作の内容が、センサ制御部１３Ｂ’を介してＣＰＵ１８によって認識される。また、表示制御部１３Ａ’は、ディスプレイ１３Ａへ表示すべき画像をＣＰＵ１８から指示されると、その画像を表示するための信号を生成してディスプレイ１３Ａへと送出する。これによって、ディスプレイ１３Ａの表示画面は、表示制御部１３Ａ’を介してＣＰＵ１８によって制御される。これを利用し、ＣＰＵ１８は、ユーザによるタッチ操作の内容とディスプレイ１３Ａの表示画面とを連動させ、タッチセンサ式ディスプレイ１３をＧＵＩ（Graphical User Interface）として機能させる。このＣＰＵ１８は、タッチセンサ式ディスプレイ１３上に各種の設定画面を表示して各種の設定を行わせるが、特に、初期設定画面の項目に、「タッチセンサ設定（キャリブレーション）」を設けている。ユーザによりその項目がタッチ操作されると、ＣＰＵ１８は、タッチセンサ設定用画面をタッチセンサ式ディスプレイ１３上へ表示させ、タッチセンサ設定を行い、タッチセンサ設定の設定内容（ここでは、オフセット情報である。）を、不揮発性メモリ１９へ書き込む。このタッチセンサ設定の詳細は、後述する。
【００１４】
また、通常の撮影時におけるディジタルカメラ１０の処理は、大凡次のとおりである。すなわち、撮影モード時、ＣＰＵ１８は、撮影レンズ１２、撮像素子１４、Ａ／Ｄ変換回路１５、信号処理回路１６などを駆動し、被写体の粗い画像データを連続的に取得する。この画像データは、表示制御部１３Ａ’を介してディスプレイ１３Ａへ逐次送出され、それによってタッチセンサ式ディスプレイ１３上にスルー画像（被写界のリアルタイム画像）が表示される。また、撮影モード時、レリーズ釦１１Ｂ（図１参照）が操作されると、ＣＰＵ１８は、撮影レンズ１２、撮像素子１４、Ａ／Ｄ変換回路１５、信号処理回路１６などを駆動し、被写体の詳細な画像データを取得する。この画像データは、フレームメモリ１７へ一時的に格納された後、必要に応じて画像処理が施され、画像ファイルへと変換される。その画像ファイルは、記録・読み取り部２０を介して可搬媒体２０Ａへと記録される。
【００１５】
次に、タッチセンサ１３Ｂ及びセンサ制御部１３Ｂ’を詳しく説明する。
タッチセンサ１３Ｂは、感圧式（アナログ抵抗膜方式）や静電容量式（アナログ容量結合方式）などのタッチセンサであり、その分解能は、人間の指先のサイズよりも十分に小さい。例えば、ディスプレイ１３Ａの垂直方向へ６０分割程度、水平方向へ８０分割程度である。以下、タッチセンサ１３Ｂが感圧式であるとして説明する。
【００１６】
タッチセンサ１３Ｂは、図３に示すとおり、マトリクス状に配置された抵抗体を有しており、抵抗体の交差点の各々が圧力の検出ポイントとなっている。或る検出ポイントに圧力が加わると、そのポイントにおいて交差している２本の抵抗体に、その圧力に応じた信号が現れる。この信号が、タッチセンサ１３Ｂに接続されたセンサ制御部１３Ｂ’によって読み取られる。
【００１７】
例えば、図４（Ａ），（Ｂ）に示すとおりユーザの指ＦＦによってタッチ操作が行われると、センサ制御部１３Ｂ’は、各検出ポイントからの信号を参照し、タッチ操作の内容、すなわち、圧力の加わった領域の範囲（タッチ範囲）Ｅと、タッチ範囲Ｅ内の圧力分布と、最初に圧力の加わった座標（初期座標）Ｆとを認識すると共に、タッチ範囲Ｅ内の圧力分布に基づきタッチ範囲Ｅの圧力中心の座標（圧力中心座標）Ｇを算出し、それらの情報を示す信号を生成してＣＰＵ１８へと与える。なお、圧力中心とは、全ての方向に対して圧力が釣り合っている点のことである。タッチ範囲Ｅのサイズや輪郭形状、初期座標Ｆ、圧力中心座標Ｇは、図４（Ａ），（Ｂ）に示したとおり、タッチ操作の仕方によって様々である（因みに、タッチ操作の仕方に変化が生じた場合、生成される信号も時間変化するので、ユーザが強押し操作や長押し操作を行った場合にも、ＣＰＵ１８はそれを認識することもできる。）。
【００１８】
ＣＰＵ１８は、センサ制御部１３Ｂ’が生成する信号と、不揮発性メモリ１９に格納されたオフセット情報とに基づき、ユーザの入力座標（タッチ座標）を認識する。デフォールト状態では、オフセット情報が「圧力中心座標」を示しており、ＣＰＵ１８は、センサ制御部１３Ｂ’の算出した圧力中心座標Ｇをそのままタッチ座標とみなすものとする。なお、デフォールト状態におけるオフセット情報は、「初期座標」を示していてもよいが、ここでは、「圧力中心座標」であるとして説明する。
【００１９】
次に、タッチセンサ設定を説明する。ここでは、ユーザ側から見たタッチセンサ式ディスプレイ１３の動作を中心に説明する。また、このタッチセンサ設定は初回であって、その時点におけるオフセット情報はデフォールト状態であるとする。
先ず、タッチセンサ式ディスプレイ１３の表示画面は、図５に示すようなタッチセンサ設定用画面となる。図５に示すとおり、このタッチセンサ設定用画面には、ユーザへのメッセージ２２と枠イメージ２３とが配置される。メッセージ２２は、「枠内を指で押してください」などの文字イメージであって、枠イメージ２３の内部でのタッチ操作をユーザに対し促すものである。このため、枠イメージ２３のサイズは、ユーザの指先を確実にカバーできるよう十分に大きく設定される。この状態でユーザが枠イメージ２３内をタッチ操作すると、ディジタルカメラ１０のＣＰＵ１８は、そのタッチ操作のタッチ範囲Ｅ、圧力中心座標Ｇ、初期座標Ｆを認識し、タッチセンサ式ディスプレイ１３の表示画面を、図６に示す確認画面に切り替える。
【００２０】
図６に示すとおり、この確認画面には、ＣＰＵ１８が認識したタッチ範囲Ｅのイメージ２１と、ＯＫ釦２４と、戻る釦２５とが配置される。なお、ＣＰＵ１８が認識した圧力中心座標Ｇに、マークが同時に表示されてもよい。このうち、ＯＫ釦２４と戻る釦２５との配置間隔は、ユーザの指先と比較して十分に広く、ＯＫ釦１４と戻る釦２５の各々のサイズも、ユーザの指先と比較して十分に大きい。したがって、タッチセンサ設定が未完了であるこの時点でユーザがタッチ操作を行っても、誤操作は発生し難いものとする。
【００２１】
この確認画面上でユーザが戻る釦２５をタッチ操作すると、表示画面は、図５に示したタッチセンサ設定用画面へ戻る。一方、確認画面上でユーザがＯＫ釦２４をタッチ操作すると、表示画面は、図７に示すような選択画面へと切り替わる。なお、この時点では、オフセット情報はデフォールト状態なので、ＯＫ釦２４、戻る釦２５のタッチ操作時には、ＣＰＵ１８は、圧力中心座標Ｇをそのままタッチ座標とみなす。
【００２２】
図７に示すとおり、この選択画面には、ユーザへのメッセージ２６と、ＣＰＵ１８が認識したタッチ範囲Ｅのイメージ２１と、タッチ座標の候補のイメージ３０と、それら候補の各々に対応付けられた項目釦２７と、ＯＫ釦２４と、戻る釦２５とが配置されている。なお、これら項目釦２７、ＯＫ釦２４、戻る釦２５も、誤操作が発生し難いよう適切な間隔及びサイズで配置されている。
【００２３】
イメージ３０が指し示しているタッチ座標の候補には、例えば、圧力中心座標Ｇと、初期座標Ｆとの他に、それらの座標から外れた第１の先端座標Ｐ１と、第２の先端座標Ｐ２とがある。これに対応して、項目釦２７は、圧力中心座標Ｇを選択するための項目釦２７Ｇと、初期座標Ｆを選択するための項目釦２７Ｆと、第１の先端座標Ｐ１を選択するための項目釦２７１と、第２の先端座標Ｐ２を選択するための項目釦２７２との４つとなる。一方、メッセージ２６は、「選択してください」などの文字イメージであって、項目釦２７の何れかをタッチ操作するようユーザに対し促すものである。このメッセージ２６に促されたユーザは、タッチ座標の候補、すなわち圧力中心座標Ｇ、初期座標Ｆ、第１の先端座標Ｐ１、第２の先端座標Ｐ２の中から何れか１つを選択し、それに対応する項目釦（ここでは、第１の先端座標Ｐ１に対応する項目釦２７１とする。）をタッチ操作する。その後、ユーザがＯＫ釦２４をタッチ操作すると、タッチセンサ設定が終了する。なお、この時点では、オフセット情報がデフォールト状態なので、項目釦２７、ＯＫ釦２４、戻る釦２５のタッチ操作時には、ＣＰＵ１８は、圧力中心座標Ｇをそのままタッチ座標とみなす。
【００２４】
ＣＰＵ１８は、ユーザが選択した項目（ここでは「第１の先端座標」）を認識し、それを示す情報を、オフセット情報として不揮発性メモリ１９へ格納する。これによって、オフセット情報は、デフォールト状態から「第１の先端座標」へと更新され、タッチセンサ設定が完了する。このように、オフセット情報の保存に不揮発性メモリ１９を利用すれば、ディジタルカメラ１０の電源オン／オフに依らず、オフセット情報は保存され続けるので、タッチセンサ設定の手間は、最小限に抑えられる。
【００２５】
次に、第１の先端座標Ｐ１、第２の先端座標Ｐ２について説明する。
図８は、第１の先端座標Ｐ１、第２の先端座標Ｐ２を説明する図である。図８に示すように、第１の先端座標Ｐ１と第２の先端座標Ｐ２との各々は、圧力中心座標Ｇと初期座標Ｆとの双方によって特定される。第１の先端座標Ｐ１は、圧力中心座標Ｇから初期座標Ｆまでの変位ベクトルｄの定数倍αｄだけ、圧力中心座標Ｇから変位した座標である。例えば、定数αは、１＜αである。また、第２の先端座標Ｐ２は、変位ベクトルｄの定数倍βｄだけ圧力中心座標Ｇから変位した座標である。例えば、定数βは、α＜βである。
【００２６】
次に、タッチセンサ設定が完了した後のディジタルカメラ１０の動作を説明する。ここでは、ユーザ側から見たタッチセンサ式ディスプレイ１３の動作、特に、通常画面の表示動作を中心に説明する。
先ず、タッチセンサ式ディスプレイ１３の表示画面は、図９に示すような通常画面となる。図９に示すとおり、通常画面には、ディジタルカメラ１０による撮影画像の表示領域（撮影画像表示領域）３１Ａと、各種のスイッチイメージ３１とが配置される。この時点でディジタルカメラ１０のモードが撮影モードであったとすると、撮影画像表示領域３１Ａには、スルー画像が表示される。
【００２７】
スイッチイメージ３１には、ズーム釦３１Ｂ、メニュー釦３１Ｃ、モード切替釦３１Ｄ、再生釦３１Ｅ、削除釦３１Ｆ、マルチセレクタ（十字釦及び確定釦の組み合わせ）３１Ｇなどがある。これらのスイッチイメージ３１は、撮影画像表示領域３１Ａの上にオーバーラップ表示されていても構わないが、撮影画像表示領域１３Ａをなるべく妨げないように、比較的小さい領域（ディスプレイの半分以下の領域）内に収められることが望ましい。
【００２８】
図１０に示すとおり、この通常画面上でユーザがタッチ操作を行うと、ディジタルカメラ１０のＣＰＵ１８は、そのタッチ操作の内容とオフセット情報とに基づきタッチ座標を認識する。この時点では、オフセット情報が「第１の先端座標」を示しているので、ＣＰＵ１８は、タッチ操作の圧力中心座標Ｇではなく、その圧力中心座標Ｇと初期座標Ｆとから特定される第１の先端座標Ｐ１（図８参照）を、タッチ座標として認識する。そして、ＣＰＵ１８は、認識したタッチ座標上に確認マーク３１Ｈを表示する。この確認マーク３１Ｈは、ユーザがタッチ座標を確認するのに適当なサイズに設定されており、しかも高輝度であることが望ましい。この表示によって、ユーザは、自分が入力しようとしている座標を確認することができる。
【００２９】
さらに、ユーザは、この確認マーク３１Ｈを頼りにタッチ操作を繰り返し、その確認マーク３１Ｈが自分の意図する釦（ここでは、再生釦３１Ｅとする。）上に位置した時点で、強押し操作（又は長押し操作）を行う。ＣＰＵ１８は、センサ制御部１３Ｂ’からの信号変化に基づきそれを認識すると、その時点で再生釦３１Ｅが選択されたとみなし、図１１に示すとおり、過去に撮影した画像３１Ａ’を再生表示する。
【００３０】
なお、再生表示では、ＣＰＵ１８は、記録・読み取り部２０を介して記憶媒体２０Ａに格納された画像ファイルを読み出し、その画像ファイル中の画像を表示するよう表示制御部１３Ａ’に対し指示を与えればよい。因みに、図１１に示す再生表示画面では、再生表示された画像３１Ａ’上に、各種のスイッチイメージ３１がオーバーラップ表示されている。
【００３１】
さらに、この状態で図１２に示すとおり、ユーザがズーム釦３１Ｂをタッチ操作し、かつ強押し操作（又は長押し操作）すると、図１３に示すとおり、過去に撮影された複数の画像がサムネイル表示される。さらに、ユーザがズーム釦３１Ｂをタッチ操作し、かつ強押し操作（又は長押し操作）すると、図１４に示すように、サムネイル表示される画像の数を増やすことができる。さらに、サムネイル表示された画像の１つをユーザがタッチ操作し、かつ強押し操作（又は長押し操作）すると、その画像を拡大表示した再生画面（図１１に示したようなレイアウト）となる。
【００３２】
以上の図１２，図１３，図１４に示した各画面に対するタッチ操作時においても、ＣＰＵ１８は、そのタッチ操作の内容とオフセット情報とに基づきタッチ座標を認識すると共に、認識したタッチ座標上に確認マーク３１Ｈを表示する。
すなわち、タッチセンサ設定後は、オフセット情報に従いタッチ座標がオフセットされ、かつ、そのオフセット後のタッチ座標が、確認マーク３１Ｈによって標識されることになる。
【００３３】
次に、タッチ操作の内容とオフセット量（オフセットの程度及び方向）との関係を詳細に説明する。ここでも、オフセット情報が「第１の先端座標」を示していた場合を考える。
図１５は、タッチ操作の内容とオフセット量（オフセットの程度及び方向）との関係を説明する図である（オフセット情報が「第１の先端座標」を示していた場合）。図１５（Ａ），（Ｂ），（Ｃ）には、タッチ操作の内容が異なる各場合を示した。
【００３４】
先ず、図１５（Ａ）の左側に示すとおり、タッチ操作した指先が上方向から小角度だけ傾いていたときには、図１５（Ａ）の右側に示すとおり、圧力中心座標Ｇから初期座標Ｆまでのベクトルｄが上方向から小角度だけ傾くので、オフセットの方向、つまりベクトルαｄの方向も、上方向から小角度だけ傾く。
また、図１５（Ｂ）の左側に示すとおり、タッチ操作した指先が上方向から大角度だけ傾いていたときには、図１５（Ｂ）の右側に示すとおり、圧力中心座標Ｇから初期座標Ｆまでのベクトルｄが上方向から大角度だけ傾くので、オフセットの方向、つまりベクトルαｄの方向も、上方向から大角度だけ傾く。
【００３５】
また、図１５（Ｃ）の左側に示すとおり、タッチ操作した指先が真上方向を向いていたときには、図１５（Ｃ）の右側に示すとおり、圧力中心座標Ｇから初期座標Ｆまでのベクトルｄが真上方向を向くので、オフセットの方向、つまりベクトルαｄの方向も、真上方向となる。
また、図１５（Ａ），（Ｂ）に示すとおり、タッチ操作した指の接触面積が大きいときには、ベクトルｄのサイズが大きくなるので、オフセットの程度、つまりベクトルαｄのサイズも大きくなる。
【００３６】
また、図１５（Ｃ）に示すとおり、タッチ操作した指の接触面積が小さいときには、ベクトルｄのサイズが小さくなるので、オフセットの程度、つまりベクトルαｄのサイズも小さくなる。
すなわち、本実施形態では、オフセットのオフセット量（オフセットの程度及び方向）は、タッチ操作した指先の方向や接触面積に応じて、自動的に補正されることになる。
【００３７】
なお、以上では、オフセット情報が「第１の先端座標」を示していた場合しか説明しなかったが、オフセット情報が「第２の先端座標」を示していた場合は、ＣＰＵ１８は、第１の先端座標Ｐ１の代わりに、第２の先端座標Ｐ２をタッチ座標とみなして同様の処理を行えばよい。また、オフセット情報が「初期座標」を示していた場合は、ＣＰＵ１８は、先端座標Ｆをそのままタッチ座標とみなして同様の処理を行えばよい。また、オフセット情報が「圧力中心座標」であった場合は、圧力中心座標Ｇをそのままタッチ座標とみなして同様の処理を行えばよい。
【００３８】
以上、本実施形態のディジタルカメラ１０によれば、ユーザは、タッチセンサ設定により、タッチ座標のオフセット量を予め選択することができるので、仮に、複数のスイッチイメージ３１が密に配置されていたとしても、指先でそれを押し分けることができる。したがって、本実施形態のディジタルカメラ１０は、より多くのスイッチイメージを同時に表示することができる。
【００３９】
なお、本実施形態では、第１の先端座標Ｐ１、第２の先端座標Ｐ２の各々を、圧力中心座標Ｇ及び初期座標Ｆとの関係で特定したが、圧力中心座標Ｇの代わりに、タッチ範囲Ｅの中心座標Ｏを用いてもよい。なお、圧力中心座標Ｇを算出する必要の無い場合は、タッチセンサ１３Ｂは、タッチ範囲Ｅ内の圧力分布を検出できなくても構わない。
また、本実施形態では、第１の先端座標Ｐ１、第２の先端座標Ｐ２の各々を、圧力中心座標Ｇ及び初期座標Ｆとの関係で特定したが、例えば、図１６に示すとおり、タッチ範囲Ｅの輪郭を近似してできる楕円Ｅ’の長径を示すベクトルｒと、中心座標Ｏとの関係で特定してもよい。図１６の例では、第１の先端座標Ｐ１は、ベクトルｒの定数倍αｒだけ中心座標Ｏから変位した座標であり、第２の先端座標Ｐ２は、ベクトルｒの定数倍βｒだけ中心座標Ｏから変位した座標である。なお、圧力中心座標Ｇを算出する必要の無い場合は、タッチセンサ１３Ｂは、タッチ範囲Ｅ内の圧力分布を検出できなくても構わない。
【００４０】
また、本実施形態では、タッチ座標の候補を、圧力中心座標Ｇ、初期座標Ｆ、第１の先端座標Ｐ１、第２の先端座標Ｐ２の４つとしたが（図７参照）、候補の数は、これに限定されることはなく、例えば、圧力中心座標Ｇ、初期座標Ｆ、第１の先端座標Ｐ１の３つであってもよい。
［第２実施形態］
第２実施形態を説明する。本実施形態は、ディジタルカメラの実施形態である。ここでは、第１実施形態との相違点のみ説明する。相違点は、タッチセンサ設定時、任意のタッチ座標をユーザが指定できる点にある。
【００４１】
本実施形態のタッチセンサ式ディスプレイ１３には、図７に示した選択画面の代わりに、図１７に示す選択画面が表示される。図１７に示すとおり、この選択画面には、ユーザへのメッセージ２６と、ユーザによるタッチ操作のタッチ範囲のイメージ２１と、タッチ座標を指し示す十字カーソル４０と、その十字カーソル４０を移動させるためのマルチセレクタ３１Ｇと、戻る釦２５とが配置される。マルチセレクタ３１Ｇと戻る釦２５とは、タッチセンサ設定が未完了であっても誤操作が発生し難いよう適切な間隔及びサイズで配置されている。
【００４２】
メッセージ２６は、「十字カーソルを移動させてください」などの文字イメージであって、マルチセレクタ３１Ｇをユーザがタッチ操作するよう促すものである。このメッセージ２６に促されたユーザが、十字カーソル４０を上下左右へタッチ操作すると、その操作に応じて、図１８に示すとおり十字カーソル４０が上下左右へ移動する。ユーザは、所望する座標に十字カーソル４０が位置した時点で、マルチセレクタ３１Ｇの確定釦をタッチ操作する。ＣＰＵ１８は、このときの十字カーソル４０の位置座標（指定座標）Ｐを認識すると共に、図１９に示すとおり、ユーザが枠イメージ２３（図５参照）をタッチ操作したときの圧力中心座標Ｇ及び初期座標Ｆと、その指定座標Ｐとの位置関係を求め、その位置関係の情報（つまり、Ｇ，Ｆ，Ｐを結ぶ三角形Ｔの形状情報）を、オフセット情報として不揮発性メモリ１９へ格納する。これによって、タッチセンサ設定が完了する。
【００４３】
それ以降にタッチ操作がなされたときには、ＣＰＵ１８は、そのタッチ操作の内容（圧力中心座標Ｇ，初期座標Ｆ）とオフセット情報とに基づき、それら圧力中心座標Ｇ及び初期座標Ｆとの位置関係が、オフセット情報の示している位置関係と同じになるような座標Ｐを特定し、それをタッチ座標とみなせばよい。
以上、本実施形態のディジタルカメラ１０によれば、タッチ座標のオフセット量をユーザが自由に入力することができるので、タッチセンサ式ディスプレイ１３の操作感を自由に変更することができる。
【００４４】
［第３実施形態］
第３実施形態を説明する。本実施形態は、ディジタルカメラの実施形態である。ここでは、第１実施形態（又は第２実施形態）との相違点のみ説明する。相違点は、所定座標をユーザにタッチ操作させ、そのタッチ操作の内容と所定座標との関係を、オフセット情報としてディジタルカメラ１０が自動的に取り込む点にある。
【００４５】
本実施形態のタッチセンサ式ディスプレイ１３には、図５に示したタッチセンサ設定用画面の代わりに、図２０に示すようなタッチセンサ設定用画面が表示される。図２０に示すとおり、このタッチセンサ設定用画面には、ユーザへのメッセージ２２と、枠イメージ２３と、十字マーク４０’とが配置される。十字マーク４０’は、枠イメージ２３の内部の所定座標を指し示している。メッセージ２２は、「十字マークを指で押してください」などの文字イメージであって、ユーザが十字マーク４０’をタッチ操作するよう促すものである。図２１に示すように、この状態でユーザは、十字マーク４０’上をタッチ操作する。ＣＰＵ１８は、このタッチ操作の内容（タッチ範囲Ｅ、初期座標Ｆ、圧力中心座標Ｇ）を認識し、タッチセンサ式ディスプレイ１３の表示画面を、図２２に示すような確認画面に切り替える。
【００４６】
図２２に示すとおり、この確認画面には、ＣＰＵ１８が認識したタッチ範囲Ｅのイメージ２１と、十字マーク４０’と、ＯＫ釦２４と、戻る釦２５とが配置される（このとき同時に、ＣＰＵ１８が認識した初期座標Ｆ、圧力中心座標Ｇのイメージが表示されてもよい。）。この確認画像上でユーザがＯＫ釦２４をタッチ操作すると、ＣＰＵ１８は、圧力中心座標Ｇ及び初期座標Ｆと、十字マーク４０’の座標Ｐとの位置関係を求め、その位置関係の情報（Ｇ，Ｆ，Ｐを結ぶ三角形Ｔの形状情報）を、オフセット情報として不揮発性メモリ１９へ格納する。これによって、タッチセンサ設定が完了する。
【００４７】
それ以降にタッチ操作がなされたときには、ＣＰＵ１８は、そのタッチ操作の内容（圧力中心座標Ｇ，初期座標Ｆ）とオフセット情報とに基づき、それら圧力中心座標Ｇ及び初期座標Ｆとの位置関係が、オフセット情報の示している位置関係と同じになるような座標Ｐを特定し、それをタッチ座標とみなせばよい。
以上、本実施形態のディジタルカメラ１０によれば、ユーザは、所定座標に対するタッチ操作を１回行うだけで、タッチ座標のオフセット量をディジタルカメラ１０へと簡単に入力することができる。
【００４８】
また、十字マーク４０’の位置をユーザが押そうとしたときに、タッチセンサ上で実際に押された領域をディジタルカメラ１０が検出するので、実際に押された位置から十字マーク４０’までのオフセット量がわかり、そのオフセット量が設定される。したがって、押したい位置と実際に押された位置とがいつもずれるような場合であっても、このずれをユーザは意識せずに済む。
【００４９】
［その他］
なお、上述した第２実施形態及び第３実施形態では、座標Ｐを、圧力中心座標Ｇ及び初期座標Ｆとの関係で特定したが、圧力中心座標Ｇの代わりに、タッチ範囲Ｅの中心座標Ｏを用いてもよい。また、タッチ範囲Ｅの輪郭を近似してできる楕円Ｅ’の長径を示すベクトルｒと、中心座標Ｏとの関係で特定してもよい。また、圧力中心座標Ｇを算出する必要の無い場合は、タッチセンサ１３Ｂは、タッチ範囲Ｅ内の圧力分布を検出できなくても構わない。
【００５０】
また、上述した何れかの実施形態において、ＣＰＵ１８の動作の一部は、表示制御部１３Ａ’及び／又はセンサ制御部１３Ｂ’によって実行されても構わない。また、何れかの実施形態の表示制御部１３Ａ’及び／又はセンサ制御部１３Ｂ’の動作の一部は、ＣＰＵ１８によって実行されても構わない。
また、上述した各実施形態では、ユーザの人数が１であることを前提とし、不揮発性メモリ１９に格納されるオフセット情報を１つのみとしたが、オフセット情報をユーザ毎に格納できるように（つまり、ユーザ登録できるように）してもよい。
【００５１】
また、上述した各実施形態は、ディジタルカメラの実施形態であったが、本発明は、パーソナルコンピュータ、ＡＴＭ、ＰＤＡ、携帯電話、音楽プレーヤなど、タッチセンサ式ディスプレイを搭載した各種の機器に適用することができる。このうち、ＰＤＡ、携帯電話、携帯型音楽プレーヤなど、ディスプレイのサイズが小さい携帯型機器においては、本発明が特に有効である。
【図面の簡単な説明】
【００５２】
【図１】ディジタルカメラを背面側（反被写体側）から見た図である。
【図２】ディジタルカメラ１０の構成図である。
【図３】タッチセンサ１３Ｂを説明する図である。
【図４】センサ制御部１３Ｂ’の動作を説明する図である。
【図５】タッチセンサ設定用画面を示す図である。
【図６】確認画面を示す図である。
【図７】選択画面を示す図である。
【図８】第１の先端座標Ｐ１、第２の先端座標Ｐ２を説明する図である。
【図９】通常画面を示す図である。
【図１０】確認マーク３１Ｈを示す図である。
【図１１】再生表示画面を示す図である。
【図１２】再生表示画面の別の状態を示す図である。
【図１３】サムネイル表示画面を示す図である。
【図１４】別のサムネイル表示画面を示す図である。
【図１５】タッチ操作の内容とオフセット量（オフセットの程度及び方向）との関係を説明する図である。
【図１６】第１実施形態の変形例を説明する図である。
【図１７】第２実施形態の選択画面を示す図である。
【図１８】第２実施形態の選択画面の別の状態を示す図である。
【図１９】第２実施形態のオフセット情報を説明する図である。
【図２０】第３実施形態のタッチセンサ設定用画面を示す図である。
【図２１】第３実施形態のタッチセンサ設定用画面の別の状態を示す図である。
【図２２】第３実施形態の確認画面を示す図である。
【符号の説明】
【００５３】
１０…ディジタルカメラ，１３Ａ…ディスプレイ，１３Ｂ…タッチセンサ，１３…タッチセンサ式ディスプレイ，１３Ａ’…表示制御部，１３Ｂ’…センサ制御部，２０…記録・読み取り部，２０Ａ…記憶媒体，１８…ＣＰＵ，１９…不揮発性メモリ                                                                               
【図１】
2007264808.tif 000003
【図２】
2007264808.tif 000004
【図３】
2007264808.tif 000005
【図４】
2007264808.tif 000006
【図５】
2007264808.tif 000007
【図６】
2007264808.tif 000008
【図７】
2007264808.tif 000009
【図８】
2007264808.tif 000010
【図９】
2007264808.tif 000011
【図１０】
2007264808.tif 000012
【図１１】
2007264808.tif 000013
【図１２】
2007264808.tif 000014
【図１３】
2007264808.tif 000015
【図１４】
2007264808.tif 000016
【図１５】
2007264808.tif 000017
【図１６】
2007264808.tif 000018
【図１７】
2007264808.tif 000019
【図１８】
2007264808.tif 000020
【図１９】
2007264808.tif 000021
【図２０】
2007264808.tif 000022
【図２１】
2007264808.tif 000023
【図２２】
2007264808.tif 000024